(57)【要約】【課題】良縁紹介システムにおいて、特に結婚する意思は高いにもかかわらず結婚しない理由である「適当な相手にめぐり合わない」という理由を克服して、結婚する意思の高い男女に交際や結婚の機会を与え、出生率低下に歯止めを掛けることを課題とする。【解決手段】良縁紹介イベント会場10又は特定街頭に複数個所に平面均一的に配置された各々ＩＣタグ読み出し／書き込み手段R/W にて、良縁紹介イベントに参加した各々会員が携帯する良縁紹介用ＩＣタグI の会員個人情報を読み出し、携帯するＩＣタグI の読み出し回数と読み出し継続時間を前記会員接近状況抽出手段6 により抽出し、出合良縁ランク付け手段7 により各組合わせ男女会員の出合いと良縁条件のランク付けを行い、上位良縁抽出手段により上位ランクの各組合わせ男女会員を上位良縁抽出手段8 にて抽出して良縁者を抽出するようにした。【選択図】図１
2008059258.tif 000002
【特許請求の範囲】
【請求項１】
ａ）良縁紹介イベントに参加を希望する個人ユーザが、端末からネットワークサーバを介して良縁紹介会員として入会申請するために良縁条件等の個人情報を会員個人情報として登録する会員情報登録手段と、
ｂ）該会員情報登録手段により登録された会員個人情報を記憶収容する会員情報データベースと、
ｃ）該会員情報データベースから良縁紹介イベントに参加を希望する会員の会員個人情報を読み出してＩＣタグに書き込み、当該参加会員専用の良縁紹介用ＩＣタグを作成する良縁紹介用ＩＣタグ作成手段と、
ｄ）良縁紹介イベント会場又は特定街頭の複数個所に配置されて、良縁紹介イベントに参加した各々会員が携帯する前記良縁紹介用ＩＣタグの各々会員個人情報を読み出し／書き込みをする複数個のＩＣタグ読み出し／書き込み手段と、
ｅ）各々前記ＩＣタグ読み出し／書き込み手段により読み出された各々会員個人情報を各々ＩＣタグ読み出し／書き込み手段毎にデータ集約し、同一のＩＣタグ読み出し／書き込み手段にて読み出された良縁紹介用ＩＣタグを携帯する男女会員の読み出し回数と読み出し継続時間を抽出する会員出合状況抽出手段と、
ｆ）該会員出合状況抽出手段により抽出された前記読み出し回数と読み出し継続時間の多い順から各組合わせ男女会員の出合いランク付けを行い、また各組合わせ男女会員の互いに整合する良縁条件数の多い順に各組合わせ男女会員の良縁条件ランク付けを行う出合良縁ランク付け手段と、
ｇ）前記出合良縁ランク付け手段により上位にランク付けされた各組合わせ男女会員の前記出合いランクと良縁条件ランクに基づいて、上位良縁の各組合わせ男女会員を抽出する上位良縁抽出手段と、
ｈ）該上位良縁抽出手段により抽出された上位良縁の各組合わせ男女会員名を、会員番号に基づいて検索し、良縁組合わせの男女会員を抽出する良縁会員抽出手段とを備え、
ｉ）良縁紹介イベント会場又は特定街頭に複数個所に配置された各々ＩＣタグ読み出し／書き込み手段にて、良縁紹介イベントに参加した各々会員が携帯する良縁紹介用ＩＣタグの会員個人情報を読み出し、
ｊ）各々前記ＩＣタグ読み出し／書き込み手段により読み出された各々会員個人情報を同一のＩＣタグ読み出し／書き込み手段毎にデータ集約し、
ｋ）同一のＩＣタグ読み出し／書き込み手段にて読み出された良縁紹介用ＩＣタグを携帯する男女会員の読み出し回数と読み出し継続時間を前記会員接近状況抽出手段により抽出し、
ｌ）前記出合良縁ランク付け手段により抽出された各組合わせ男女会員の出合いランクと、良縁条件ランクに基づいて、上位良縁抽出手段により上位良縁の各組合わせ男女会員を抽出し、
ｍ）良縁会員抽出手段により、前記上位良縁抽出手段にて抽出された上位良縁の各組合わせ男女会員の会員番号に基づいて会員名を検索し、各組合わせ男女良縁会員を特定し、１乃至複数組みの男女会員を良縁者として抽出するようにしたことを特徴とする良縁紹介システム。
【請求項２】
前記出合良縁ランク付け手段に、良縁紹介イベント主催者側からのイベント参加会員に対する印象情報を入力するための印象情報入力手段を備え、前記該印象情報入力手段により良縁紹介イベント主催者側が入力したイベント参加会員印象情報を付加して、前記出合良縁ランク付け手段による各組合わせ男女会員の出合いランク付け、良縁条件ランク付けと共に、主催者側印象ランク付けを行い、該出合いランクと良縁条件ランクと印象ランクとに基づいて、上位良縁抽出手段により上位良縁の各組合わせ男女会員を抽出することを特徴とする請求項１記載の良縁紹介システム。
【発明の詳細な説明】
【技術分野】
【０００１】
本発明は、結婚や交際を希望する見ず知らずの男性や女性が相応しい相手を互いに見つけ合い、紹介し合う動機付けをするための良縁紹介システムに関する。
【背景技術】
【０００２】
近年、日本の出生率が２００３年以降、１．２９、１．２８、１．２６と徐々に低下しており、出生率の低下に歯止めが掛かっていない状況である。この出生率の低下は、未婚化や、晩婚化が進む一方、既婚者の中でも現在の２０代が子供を出産しなくなっていることが大きな要因となっている。そこで、現在では政府と民間と地域とが協力し合って、この出生率低下への歯止めを掛ける対策が構じられるようになってきている。
【０００３】
例えば２５歳〜３５歳の女性の結婚感について調査（資料；国立社会保障・人口問題研究所「出生動向基本調査」１９９２〜２００２年）したところによると、結婚できない理由としては、「適当な相手にめぐり合わない（４９％）」、「結婚資金が足りない（１６％）」、「住宅の目処が立たない（５％）」、「親や周囲が同意しない（６％）」等がある。また、結婚しない理由としては、「自由や気楽さを失いたくない（３４％）」、「趣味や娯楽を楽しみたい（２１％）」、「仕事（学業）に打ち込みたい（１５％）」、「必要に感じない（３４％）」、「まだ若すぎる（２％）」等である。
【０００４】
結婚する意思は高いにもかかわらず結婚していない人が多い。同じ調査で独身にとどまっている理由を尋ねた結果、１８〜２４歳では、男性、女性ともに、「まだ若すぎる」、「必要性を感じない」、「適当な相手にめぐり合わない」を挙げる人が多く、２５歳〜３４歳でも、「適当な相手にめぐり合わない」を挙げる人が最も多い。
【０００５】
このような出生率低下への歯止めを掛ける対策として、結婚や交際を希望する見ず知らずの男性や女性が相応しい相手を互いに見つけ合い、紹介し合う機会を増やすために、例えば、ネットワークを介した結婚、交際紹介システム（特許文献１−１０）が構築されている。
【０００６】
下記に本発明に関連する先行技術文献を記載する。
【特許文献１】登録実用新案第３０５２６７３号
【特許文献２】特開２００１−２２２５８３号
【特許文献３】特開２００１−３５０８６９号公報
【特許文献４】特開２００１−３５０８６９公報
【特許文献５】特開２００２−１５０５２号公報
【特許文献６】特開２００２−２０３０３４公報
【特許文献７】特開２００２−２０３０３４公報
【特許文献８】特開２００２−２０３０３４公報
【特許文献９】特開２００２−２１５８１７公報
【特許文献１０】特開２００２−８０３２７９公報
【発明の開示】
【発明が解決しようとする課題】
【０００７】
本発明は、結婚や交際を希望する男性や女性が、相応しい相手を互いに見つけ合い、紹介し合う動機付けをするためのネットワークを介した良縁紹介システムであって、特に結婚する意思は高いにもかかわらず結婚しない理由である「適当な相手にめぐり合わない」という理由を克服して、結婚する意思の高い男女に、交際や結婚の機会を与え、出生率低下に歯止めを掛けることを課題とするものである。
【課題を解決するための手段】
【０００８】
本発明の請求項１に係る発明は、
ａ）良縁紹介イベントに参加を希望する個人ユーザが、端末からネットワークサーバを介して良縁紹介会員として入会申請するために良縁条件等の個人情報を会員個人情報として登録する会員情報登録手段と、
ｂ）該会員情報登録手段により登録された会員個人情報を記憶収容する会員情報データベースと、
ｃ）該会員情報データベースから良縁紹介イベントに参加を希望する会員の会員個人情報を読み出してＩＣタグに書き込み、当該参加会員専用の良縁紹介用ＩＣタグを作成する良縁紹介用ＩＣタグ作成手段と、
ｄ）良縁紹介イベント会場又は特定街頭の複数個所に配置されて、良縁紹介イベントに参加した各々会員が携帯する前記良縁紹介用ＩＣタグの各々会員個人情報を読み出し／書き込みをする複数個のＩＣタグ読み出し／書き込み手段と、
ｅ）各々前記ＩＣタグ読み出し／書き込み手段により読み出された各々会員個人情報を各々ＩＣタグ読み出し／書き込み手段毎にデータ集約し、同一のＩＣタグ読み出し／書き込み手段にて読み出された良縁紹介用ＩＣタグを携帯する男女会員の読み出し回数と読み出し継続時間を抽出する会員出合状況抽出手段と、
ｆ）該会員出合状況抽出手段により抽出された前記読み出し回数と読み出し継続時間の多い順から各組合わせ男女会員の出合いランク付けを行い、また各組合わせ男女会員の互いに整合する良縁条件数の多い順に各組合わせ男女会員の良縁条件ランク付けを行う出合良縁ランク付け手段と、
ｇ）前記出合良縁ランク付け手段により上位にランク付けされた各組合わせ男女会員の前記出合いランクと良縁条件ランクに基づいて、上位良縁の各組合わせ男女会員を抽出する上位良縁抽出手段と、
ｈ）該上位良縁抽出手段により抽出された上位良縁の各組合わせ男女会員名を、会員番号に基づいて検索し、良縁組合わせの男女会員を抽出する良縁会員抽出手段とを備え、
ｉ）良縁紹介イベント会場又は特定街頭に複数個所に配置された各々ＩＣタグ読み出し／書き込み手段にて、良縁紹介イベントに参加した各々会員が携帯する良縁紹介用ＩＣタグの会員個人情報を読み出し、
ｊ）各々前記ＩＣタグ読み出し／書き込み手段により読み出された各々会員個人情報を同一のＩＣタグ読み出し／書き込み手段毎にデータ集約し、
ｋ）同一のＩＣタグ読み出し／書き込み手段にて読み出された良縁紹介用ＩＣタグを携帯する男女会員の読み出し回数と読み出し継続時間を前記会員接近状況抽出手段により抽出し、
ｌ）前記出合良縁ランク付け手段により抽出された各組合わせ男女会員の出合いランクと、良縁条件ランクに基づいて、上位良縁抽出手段により上位良縁の各組合わせ男女会員を抽出し、
ｍ）良縁会員抽出手段により、前記上位良縁抽出手段にて抽出された上位良縁の各組合
わせ男女会員の会員番号に基づいて会員名を検索し、各組合わせ男女良縁会員を特定し、１乃至複数組みの男女会員を良縁者として抽出するようにしたことを特徴とする良縁紹介システムである。
【０００９】
本発明の請求項２に係る発明は、上記請求項１に係る良縁紹介システムにおいて、
前記出合良縁ランク付け手段に、良縁紹介イベント主催者側からのイベント参加会員に対する印象情報を入力するための印象情報入力手段を備え、前記該印象情報入力手段により良縁紹介イベント主催者側が入力したイベント参加会員印象情報を付加して、前記出合良縁ランク付け手段による各組合わせ男女会員の出合いランク付け、良縁条件ランク付けと共に、主催者側印象ランク付けを行い、該出合いランクと良縁条件ランクと印象ランクとに基づいて、上位良縁抽出手段により上位良縁の各組合わせ男女会員を抽出することを特徴とする良縁紹介システムである。
【発明の効果】
【００１０】
本発明の良縁紹介システムは、良縁紹介イベント会場内の複数個所に配置、又は街頭の複数個所に配置された複数個のＩＣタグ読み出し／書き込み手段にて、良縁紹介イベントに参加した各々会員が携帯する良縁紹介用ＩＣタグの各々会員個人情報及び良縁条件を読み出すことができ、各々前記ＩＣタグ読み出し／書き込み手段により読み出された各々会員個人情報及び良縁条件を、同一のＩＣタグ読み出し／書き込み手段毎に、データ集約するようにしたものである。
【００１１】
これにより、同一のＩＣタグ読み出し／書き込み手段にて読み出された良縁紹介用ＩＣタグを携帯する男女会員の読み出し回数と読み出し継続時間を前記会員接近状態抽出手段により抽出することにより、男女会員が同一のＩＣタグ読み出し／書き込み手段のある同じイベント場所又は街頭にて、何らかの会話、あるいは行動を共にしていたことが推察でき、該会員接近状態抽出手段により抽出された読み出し回数及び／又は継続時間のより多い男女会員から順に、良縁ランク付け手段により良縁ランク付けを行い、必要に応じてイベント主催者側による好印象ランクを付加情報としてランク付けすることができるものである。
【００１２】
そして、上位にランク付けされた上位良縁ランクの男女会員名から、当該会員個人情報及び良縁条件とを前記上位良縁抽出手段により抽出し、抽出された男女会員名と、当該会員個人情報及び良縁条件に基づいて、前記良縁会員抽出手段により、良縁条件に合った１乃至複数組みの男女会員を良縁紹介者として抽出することができるものである。
【００１３】
本発明の良縁紹介システムによれば、結婚願望がある男女会員にＩＣタグを持たせて、良縁紹介イベントに参加してもらい、パーティーやイベント会場、あるいは街頭にて、結婚願望者同士が接近すると、その場所の近くに予め設置された本システム専用のＩＣタグ読み出し／書き込み手段が、男女会員が携帯するＩＣタグを読み出して、互いに会話などの直接のコミュニケーション行動がなくても、知らず知らずの内に情報交換（例えば会員コードの交換）ができるようになるものである。
【発明を実施するための最良の形態】
【００１４】
本発明の良縁紹介システムの実施の形態を、図１に示すシステムブロック図、及び図２、図３、図４に示すシステムフローチャート図に基づいて以下に詳細に説明する。
【００１５】
本発明の良縁紹介システムとしては、その一実施例として図１に示すように、個人ユーザ側にはユーザ端末１と、良縁紹介イベント主催者側には良縁紹介イベントに参加を希望する前記個人ユーザが端末１から、ネットワークＮとその良縁紹介サーバ２を介して、良縁紹介会員として入会申請するために、そのユーザのユーザ個人情報と、そのユーザが良
縁相手として希望する異性に対する良縁条件等とを含む会員個人情報を入力して会員登録するための会員情報登録手段３を備える。
【００１６】
また、前記会員情報登録手段３により登録された会員個人情報を記憶収容する良縁紹介（会員）情報データベース５と、該情報データベース５から良縁紹介イベントに参加を希望する各会員の会員個人情報を読み出し、読み出した各会員の会員個人情報を各会員毎の各々ＩＣタグ（非接触式ＩＣタグ、送受信用マイクロアンテナ、ＩＣ回路、メモリ搭載）に、各会員毎に付与される会員識別記号と共に書き込み、当該各会員専用の良縁紹介用ＩＣタグを作成する良縁紹介用ＩＣタグ作成手段４とを備える。
【００１７】
良縁紹介イベント主催者が、良縁紹介イベントに対して会員登録するために良縁紹介イベントに参加を希望する個人ユーザに求めるユーザ個人情報としては、例えば、氏名、住所、年齢、性別、職業、電話番号、電子メールアドレスなどであり、また良縁条件としては、異性としての交際相手や結婚相手の年齢、職業、年収、出身地、及び趣味、物の見方・考え方（人生訓、好きな言葉など選択肢）、尊敬する人、離婚歴などである。
【００１８】
また、本発明の良縁紹介システムとしては、図１に示すように、良縁紹介イベントが開催される会場１０内又は特定する街頭（公園、広場内など）の複数個所に、ＩＣタグ読み出し／書き込み手段Ｒ／Ｗが外観的に目立たない状態で配置されている。該ＩＣタグ読み出し／書き込み手段Ｒ／Ｗは、良縁紹介イベントに参加した各会員が携帯する良縁紹介用ＩＣタグの各々会員個人情報の読み出し／書き込みを行う。
【００１９】
なお、ＩＣタグ読み出し／書き込み手段Ｒ／Ｗの配置位置については、本発明においては特に限定されるものではなく、開催する会場内又は開催する特定街頭（公園、広場内など）の開催場所の立地条件や、ＩＣタグ読み出し／書き込み手段Ｒ／Ｗと非接触式のＩＣタグとの交信に使用する電波の到達可能距離（至近距離用、近距離用）などの状況に応じて適宜に設定することができる。また、良縁紹介用ＩＣタグについては、その外観形状や大きさ、そのＩＣタグに使用する電波の周波数帯域や電波の到達可能距離（至近距離用、近距離用）等を本発明においては特に限定されない。
【００２０】
例えば、複数のイペント参加者が携帯するそれぞれの良縁紹介用ＩＣタグとＩＣタグ読み出し／書き込み手段Ｒ／Ｗとが、互いに公平、均等に電波交信を行うためには、開催場所の二次元平面内や三次元空間内に、各々Ｒ／Ｗを互いに均一的な距離を以て分散させて配置することが望ましい。また、ＩＣタグに使用する電波の到達可能距離は至近距離用（例えば１ｍ以内、又は１〜３ｍ程度）、近距離用（例えば３〜１０ｍ）が望ましい。
【００２１】
前記良縁紹介用ＩＣタグ（イベント会員証、イベント招待券を兼ねる）は、良縁紹介イベント主催者側の前記良縁紹介用ＩＣタグ作成手段４により、良縁紹介イベントへの参加を希望した各々会員に対して当該各会員専用タグとして作成されて当該各会員に送付される。そして、良縁紹介イベントに参加する各会員は、その良縁紹介用ＩＣタグを携帯して良縁紹介イベントに参加する。
【００２２】
図１に示すように、良縁紹介イベントが開催される会場１０内の複数個所、又は特定する街頭（公園、広場内など）の複数個所には、ＩＣタグ読み出し／書き込み手段Ｒ／Ｗが二次元平面内や三次元空間内に均一的に配置されており、各会員専用のそれぞれ良縁紹介用ＩＣタグＩは、そのイベントに参加している各会員が携帯していて、各会員の移動、立ち居、振る舞いに追従してそのイベント会場１０内、又は特定する街頭（公園、広場内など）に、三々五々に分散、集散した状態で移動して、それぞれ会員が携帯するＩＣタグＩの会員個人情報は、最も近いＩＣタグ読み出し／書き込み手段Ｒ／Ｗによって読み出される。
【００２３】
また、本発明の良縁紹介システムとしては、図１に示すように、会員出合状況抽出手段６と、出合良縁ランク付け手段７と、上位良縁抽出手段８と、良縁会員抽出手段９とを備える。
【００２４】
会員出合状況抽出手段６は、前記イベント開催場所に設置された複数台の各々ＩＣタグ読み出し／書き込み手段Ｒ／Ｗにより読み出され、出力、送信された各々会員が携帯する良縁紹介用ＩＣタグＩの各々会員個人情報（所謂ＩＣタグＩを携帯する男女会員の会員個人情報、会員識別記号）を入力し、受信する。
【００２５】
そして、該会員出合状況抽出手段６は、前記各々会員個人情報を、各々ＩＣタグ読み出し／書き込み手段Ｒ／Ｗ毎にデータ集約する。また、同一のＩＣタグ読み出し／書き込み手段Ｒ／Ｗにて読み出された良縁紹介用ＩＣタグＩの各々会員個人情報（特に各々会員識別記号）の読み出し回数と、読み出し継続時間とを抽出する。
【００２６】
出合良縁ランク付け手段７は、前記会員出合状況抽出手段６により抽出された前記読み出し回数と読み出し継続時間について、その回数、継続時間の多い順から上位に各組合わせ男女会員の出合いランク付けを行い、また各組合わせ男女会員の互いに整合する良縁条件数の多い順から上位に各組合わせ男女会員の良縁条件ランク付けを行う。
【００２７】
上位良縁抽出手段８は、前記出合良縁ランク付け手段７により上位にランク付けされた各組合わせ男女会員の前記出合いランクと良縁条件ランクに基づいて、上位良縁の各組合わせ男女会員（その各会員識別記号）を抽出し、良縁会員抽出手段９は、抽出された上位良縁の各組合わせ男女会員名を、その会員識別記号に基づいて検索し、その良縁組合わせの各組み男女会員名を抽出する。なお、本発明においては、前記会員出合状況抽出手段６に、前記出合良縁ランク付け手段７、上位良縁抽出手段８、良縁会員抽出手段９による各データ処理制御機能を搭載するようにしてもよい。
【００２８】
本発明の良縁紹介システムにおいては、前記会員出合状況抽出手段６、あるいは出合良縁ランク付け手段７などに、良縁紹介イベント主催者側からのイベント参加会員に対する印象情報を入力するための印象情報入力手段（図示せず）を備えるようにしても良い。その場合には、良縁紹介イベント主催者側が該印象情報入力手段により入力したイベント参加会員に対する好印象情報（客観的な好印象情報（点数付け）など）を付加する。
【００２９】
このようにして前記会員出合状況抽出手段６、或いは出合良縁ランク付け手段７により各組合わせ男女会員の出合いランク付け、良縁条件ランク付けと共に、主催者側の好印象ランク付けを行い、該出合いランクと良縁条件ランクと好印象ランクとに基づいて、会員出合状況抽出手段６、出合良縁ランク付け手段７、或いは上位良縁抽出手段８により上位良縁の各組合わせ男女会員を抽出するようにしてもよい。
【００３０】
本発明の良縁紹介システムの一実施例を、図２〜図４に示すシステムフローチャート図に基づいて説明する。
【００３１】
＜ＳＴＥＰ１＞
まず、良縁紹介を希望するユーザは、端末１からネットワークＮを介して良縁紹介イベント主催者のサーバ２にアクセスして、良縁紹介イベントホームページを開く。
【００３２】
＜ＳＴＥＰ２＞
ユーザは、開いた良縁紹介イベントホームページ上の記入欄に、ユーザ個人情報、良縁条件等を記入入力して登録申請する。
【００３３】
＜ＳＴＥＰ３＞
良縁紹介イベント主催者側サーバ２は、ユーザが端末１から記入入力した個人情報、良縁条件等を情報データベース５に記憶し、ユーザに登録会員番号（例えば会員識別記号、会員ＩＤ、パスワードの全て又はいずれか）を付与してユーザ端末１にメール送信し、ユーザは端末１にて登録会員番号を受信して、良縁紹介イベント会員の登録を完了する。
【００３４】
＜ＳＴＥＰ４＞
良縁紹介イベント主催者は、登録会員となったユーザに、良縁紹介イベント開催のお知らせと、イベント参加意思の有無の問い合わせを、サーバ２からネットワークＮを介して登録会員（ユーザ）の端末１にメール送信する。
【００３５】
＜ＳＴＥＰ５＞
良縁紹介イベント登録会員は、端末１にて，イベント参加意思の有無をイベント主催者側のサーバ２にネットワークＮを介してメール返信する。                            
【００３６】
＜ＳＴＥＰ６＞
良縁紹介イベント主催者は、登録会員からのイベント参加意思の有無を受信し、参加意思の有る各会員に対しては、良縁紹介用ＩＣタグ作成手段４により、情報データベース５に記憶収容されている各会員個人情報に基づいて、当該会員の登録会員記号、個人情報、必要に応じて良縁条件等を書き込み、各々参加会員毎の専用の良縁紹介用ＩＣタグＩを作成する。
【００３７】
＜ＳＴＥＰ７＞
良縁紹介イベント主催者は、作成した良縁紹介用ＩＣタグＩ（イベントに参加する会員ｎ人用のＩＣタグＩ1 〜Ｉｎ）を、良縁紹介イベント参加意思を確認された各会員の宛て先に、郵送あるいは宅配等にて発送する。                                          
【００３８】
＜ＳＴＥＰ８＞
参加意思の有る各会員は、良縁紹介用ＩＣタグＩを受領し、そのＩＣタグＩを携帯してイベント主催者の主催する良縁紹介イベントの開催場所に出向く。
【００３９】
＜ＳＴＥＰ９＞
良縁紹介イベント開催場所１０（特定会場、特定街頭等）の数個所に、良縁紹介イベント主催者によって予め設置されている各ＩＣタグ読み出し／書き込み手段Ｒ／Ｗが、各会員の携帯する良縁紹介用ＩＣタグＩに書き込まれている個人情報、良縁条件等の会員個人情報を読み出す。
【００４０】
＜ＳＴＥＰ１０＞
各ＩＣタグＲ／Ｗにて読み出された各会員の個人情報、良縁条件等は、各々会員の携帯するＩＣタグＩのタグ識別コードと共に、会員出合状況抽出手段６に、有線回線（又はインターネット等のネットワーク回線）を介して送信される。                          
【００４１】
＜ＳＴＥＰ１１＞
会員出合状況抽出手段６は、各会員の個人情報、良縁条件、タグ識別コード等を受信した後、各会員の個人情報と良縁条件とを集約する。それと共にＩＣタグＩを携帯する各イベント参加会員のうち、イベント開催場所１０にて同一のＩＣタグ読み出し／書き込み手段Ｒ／Ｗにて読み出された各組合わせ男女会員のＩＣタグ読み出し回数（（出合い数のカウンター計測値）、及び／又は、読み出し継続時間（出合い時間のタイマー計測値）を抽出する。
【００４２】
＜ＳＴＥＰ１２＞
会員出合状況抽出手段６にて抽出された各組合わせ男女会員の読み出し回数（出合い数）、読み出し継続時間（出合い時間）は、出合良縁ランク付け手段７にて受信されて、読み出し回数（出合い数）、読み出し継続時間（出合い時間）の多い順に、各組合わせ男女会員の出合いランク付けを行い、また各組合わせ男女会員の互いに整合する良縁条件数の多い順に、各組合わせ男女会員の良縁条件ランク付けを行う。
【００４３】
＜ＳＴＥＰ１３＞
出合良縁ランク付け手段７にてランク付けされた出合いランク情報、又は／及び、良縁条件ランク情報は、上位良縁抽出手段８に送信されて、上位にランク付けされた各組合わせ男女会員を上位良縁の組合わせ男女会員として抽出して、その男女会員を良縁カップルであると判定する。
【００４４】
＜ＳＴＥＰ１４＞
良縁会員抽出手段９は、前記上位良縁抽出手段８により抽出された上位良縁の各組合わせ男女会員名を、ＩＣタグ識別記号、会員識別記号等に基づいて、情報データベースから検索し、良縁カップルの男女会員名を特定し、良縁紹介イベントの良縁紹介結果報告として、イベント参加会員に、即時あるいは１乃至数日後に紹介する。
【００４５】
なお、良縁紹介イベント結果の良縁カップルの報告、及びイベント後のフォローアップミーティング等については、主催者側が、参加した会員にそのイベント開催場所にて即時に報告実施してもよいし、あるいは即日若しくは１乃至数日後にインターネットの主催者側の良縁紹介イベントホームページ上にて、イベントに参加した会員に予め付与した会員ＩＤコード、パスワード等の入力により報告するようにしてもよい。
【図面の簡単な説明】
【００４６】
【図１】本発明の良縁紹介システムの一実施例におけるシステムブロック図。
【図２】本発明の良縁紹介システムの一実施例におけるシステムフローチャート図。
【図３】本発明の良縁紹介システムの一実施例におけるシステムフローチャート図。
【図４】本発明の良縁紹介システムの一実施例におけるシステムフローチャート図。
【符号の説明】
【００４７】
１…ユーザ端末
２…良縁紹介サーバ
３…会員情報登録手段
４…ＩＣタグ作成手段
５…良縁紹介情報データベース
６…会員出合状況抽出手段
７…出合良縁ランク付け手段
８…上位良縁抽出手段
９…良縁会員抽出手段
１０…良縁紹介イベント会場
Ｉ…良縁紹介用ＩＣタグ
Ｎ…ネットワーク
【図１】
2008059258.tif 000003
【図２】
2008059258.tif 000004
【図３】
2008059258.tif 000005
【図４】
2008059258.tif 000006